(57)【特許請求の範囲】
【請求項１】
一方の面側から入射した光を前記一方の面側に反射するとともに他方の面側から入射した光を前記一方の面側に透過する半透過鏡と、
前記半透過鏡の前記他方の面側に配置されるとともに前記一方の面側に透過する映像を表示しかつ表示の観察方向の前後する位置に配置された複数の映像表示部と、を備え、
前記半透過鏡は前記一方の面側に配置された対象物の縮小または拡大された虚像を前記他方の面側に形成し、前記一方の面側から観察した場合に、前記映像と前記虚像とが重畳された画像として観察され、
前記観察方向に対して前記虚像の形成された位置よりも前記半透過鏡に近づく位置に配置された映像表示部の表示する映像が、前記虚像が形成された位置に配置されている映像表示部が示す映像に対して近景を表示する映像であるか、前記観察方向に対して前記虚像の形成された位置よりも前記半透過鏡から遠ざかる位置に配置された映像表示部の表示する映像が、前記虚像が形成された位置に配置されている映像表示部が示す映像に対して遠景を表示する映像であるか、の少なくとも一方である
表示装置。
【請求項２】
一方の面側から入射した光を前記一方の面側に反射するとともに他方の面側から入射した光を前記一方の面側に透過する半透過鏡と、
前記半透過鏡の前記他方の面側に配置されるとともに前記一方の面側に透過する映像を表示しかつ表示の観察方向に交差する方向の異なる位置に配置された複数の映像表示部と、を備え、
前記半透過鏡は前記一方の面側に配置された対象物の縮小または拡大された虚像を前記他方の面側に形成し、前記一方の面側から観察した場合に、前記映像と前記虚像とが重畳された画像として観察されるとともに、観察者の視差により遠近感が生じる
表示装置。
【請求項３】
前記半透過鏡は、前記対象物の縮小された前記虚像を、前記半透過鏡の前記他方の面から前記半透過鏡の焦点までの間に形成する
請求項１または請求項２に記載の表示装置。
【請求項４】
前記映像表示部は、前記半透過鏡の前記他方の面から前記半透過鏡の焦点までの間に前記映像を表示する
請求項１〜請求項３のいずれか１項に記載の表示装置。
【請求項５】
前記半透過鏡の前記一方の面側の照度に基づいて前記映像表示部に表示する映像の輝度を制御する制御部をさらに備える
請求項１〜請求項４のいずれか１項に記載の表示装置。
【請求項６】
前記半透過鏡が、凸面半透過鏡であり、前記映像表示部が液晶ディスプレイである
請求項１〜請求項５のいずれか１項に記載の表示装置。
【請求項７】
一方の面側から入射した光を前記一方の面側に反射するとともに他方の面側から入射した光を前記一方の面側に透過する半透過鏡と、前記半透過鏡の前記他方の面側に配置されるとともに前記一方の面側に透過する映像を表示しかつ表示の観察方向の前後する位置に配置された複数の映像表示部と、を備えた表示装置を用いた表示方法であって、
前記半透過鏡により前記一方の面側に配置された対象物の縮小または拡大された虚像を前記他方の面側に形成し、
前記一方の面側から観察した場合に、前記映像と前記虚像とが重畳された画像として観察されるように表示し、
前記観察方向に対して前記虚像の形成された位置よりも前記半透過鏡に近づく位置に配置された映像表示部の表示する映像が、前記虚像が形成された位置に配置されている映像表示部が示す映像に対して近景を表示する映像であるか、前記観察方向に対して前記虚像の形成された位置よりも前記半透過鏡から遠ざかる位置に配置された映像表示部の表示する映像が、前記虚像が形成された位置に配置されている映像表示部が示す映像に対して遠景を表示する映像であるか、の少なくとも一方である
表示方法。
【発明の詳細な説明】
【技術分野】
【０００１】
本発明は、表示装置および表示方法に関し、特にある画像に別の画像を重畳させて表示する機能を有する表示装置および表示方法に関する。
【背景技術】
【０００２】
従来より、ある画像に別の画像を重畳させて表示する表示装置が種々提案されているが、そのような表示装置の一例として、非特許文献１に開示された電子看板が挙げられる。非特許文献１に開示された電子看板は、カメラでユーザを撮影し、ＣＧ（Ｃｏｍｐｕｔｅｒ  Ｇｒａｐｈｉｃｓ）により加工した映像を鏡のように反転して液晶ディスプレイに表示する。したがって、非特許文献１に開示された電子看板では、鏡は用いていない。
【０００３】
一方、平面鏡を用いた表示装置として、特許文献１、非特許文献２、あるいは非特許文献３に開示されたものが知られている。これらの表示装置は、平面ハーフミラーの背後直近にディスプレイを配置し、該ディスプレイに表示された映像とともに、平面ハーフミラーの前面に位置する対象物の虚像を重畳表示する表示装置である。いずれも基本的な構造は類似しているので、図５（ａ）を参照して、特許文献１に開示された情報表示機能付ミラーについて説明する。
【０００４】
特許文献１に開示された情報表示機能付ミラーのミラー本体９０は、各種画像情報及び文字情報を表示する情報表示部としての液晶表示部９２と、この液晶表示部９２の背面に配置されたバックライト９４と、液晶表示部９２の前面に配置された透光性保護板９６と、この透光性保護板９６の前面に配置され、バックライト９４の点灯時に液晶表示部９２に表示された各種の情報を透過表示する一方、バックライト９４の消灯時に鏡面反射層９８ａによって鏡面として作用するハーフミラーとしてのカバー９８とから構成されている。
【０００５】
特許文献１に開示された情報表示機能付ミラーによれば、ミラー本体９０が、バックライト９４の点灯時に液晶表示部９２に表示された各種画像情報及び文字情報を透過表示する一方、バックライト９４の消灯時に鏡面として作用するカバー９８を備えたことにより、本来の機能とは別の機能を付加することのでき、汎用性の高いミラーを提供することができるとしている。
【０００６】
さらに、平面鏡を用いた別の表示装置として、特許文献２に開示されたものが知られている。図５（ｂ）に、特許文献２に開示された表示装置１００を示す。
【０００７】
図５（ｂ）に示すように、表示装置１００は、表示部１０４の表示面に対応する部分が開口した壁板１０８の前面側（ユーザ１１０側）にハーフミラー１０２を取り付け、ハーフミラー１０２の前面側上部にデジタルカメラ等の撮像部１０６が設置され、壁板１０８の背面側に表示部１０４が設置される。そして、撮像部１０６で撮像したユーザ１１０の画像データと画像データ保存部（図示省略）に保存されている画像データを合成し、合成した画像を表示部１０４に表示させる。
【０００８】
特許文献２に開示された表示装置１００によれば、デジタルカメラ等で撮影したユーザの画像、およびハーフミラーに映るユーザの姿を積極的に利用し、ヘアースタイルやヘアーカラー等のシミュレーションが可能な表示装置が実現できるとしている。
【先行技術文献】
【特許文献】
【０００９】
【特許文献１】特開２００２−２２９４９４号公報
【特許文献２】特開２００５−０１０３５６号公報
【非特許文献】
【００１０】
【非特許文献１】http://prtimes.jp/main/html/rd/p/000000005.000003285.html
【非特許文献２】http://www.cybertecturemirror.com/
【非特許文献３】http://pioneer.jp/corp/news/press/index/1825
【発明の概要】
【発明が解決しようとする課題】
【００１１】
しかしながら、カメラと液晶ディスプレイを用いる非特許文献１に開示された電子看板では、鏡像（映像）の現実感に欠けるという欠点がある。これは、鏡像が立体的でないこと、ユーザの実際の動きに対し映像の動きが遅れること等に起因する。また、液晶ディスプレイの表示面近傍の物体はカメラの画角から外れて映らないか、あるいは大きなずれが発生することにも起因している。
【００１２】
また、特許文献１等に開示された平面鏡（ハーフミラー）を用いた表示装置では、深い奥行の表示ができないという欠点がある。平面鏡で観察される鏡像は実世界と同じ奥行であるため、ディスプレイに表示された遠方を看取させる映像と、遠方を意識させるように重畳表示させることは困難である。
【００１３】
本発明は、上記事情を鑑みて成されたものであり、本発明の目的は、鏡像と映像を用いた重畳画像に奥行感をもたせ、自然な遠近感により、より現実感のある重畳画像を合成することができる表示装置および表示方法を提供することにある。
【課題を解決するための手段】
【００１４】
上記目的を達成するために、請求項１に記載の表示装置は、一方の面側から入射した光を前記一方の面側に反射するとともに他方の面側から入射した光を前記一方の面側に透過する半透過鏡と、前記半透過鏡の前記他方の面側に配置されるとともに前記一方の面側に透過する映像を表示しかつ表示の観察方向の前後する位置に配置された複数の映像表示部と、を備え、前記半透過鏡は前記一方の面側に配置された対象物の縮小または拡大された虚像を前記他方の面側に形成し、前記一方の面側から観察した場合に、前記映像と前記虚像とが重畳された画像として観察され、前記観察方向に対して前記虚像の形成された位置よりも前記半透過鏡に近づく位置に配置された映像表示部の表示する映像が、前記虚像が形成された位置に配置されている映像表示部が示す映像に対して近景を表示する映像であるか、前記観察方向に対して前記虚像の形成された位置よりも前記半透過鏡から遠ざかる位置に配置された映像表示部の表示する映像が、前記虚像が形成された位置に配置されている映像表示部が示す映像に対して遠景を表示する映像であるか、の少なくとも一方であるものである。
表示装置。
上記目的を達成するために、請求項２に記載の表示装置は、一方の面側から入射した光を前記一方の面側に反射するとともに他方の面側から入射した光を前記一方の面側に透過する半透過鏡と、前記半透過鏡の前記他方の面側に配置されるとともに前記一方の面側に透過する映像を表示しかつ表示の観察方向に交差する方向の異なる位置に配置された複数の映像表示部と、を備え、前記半透過鏡は前記一方の面側に配置された対象物の縮小または拡大された虚像を前記他方の面側に形成し、前記一方の面側から観察した場合に、前記映像と前記虚像とが重畳された画像として観察されるとともに、観察者の視差により遠近感が生じるものである。
【００１５】
また、請求項３に記載の発明は、請求項１または請求項２に記載の発明において、前記半透過鏡は、前記対象物の縮小された前記虚像を、前記半透過鏡の前記他方の面から前記半透過鏡の焦点までの間に形成するものである。
【００１６】
また、請求項４に記載の発明は、請求項１〜請求項３のいずれか１項に記載の発明において、前記映像表示部は、前記半透過鏡の前記他方の面から前記半透過鏡の焦点までの間に前記映像を表示するものである。
【００２１】
また、請求項５に記載の発明は、請求項１〜請求項４のいずれか１項に記載の発明において、前記半透過鏡の前記一方の面側の照度に基づいて前記映像表示部に表示する映像の輝度を制御する制御部をさらに備えるものである。
【００２２】
また、請求項６に記載の発明は、請求項１〜請求項５のいずれか１項に記載の発明において、前記半透過鏡が、凸面半透過鏡であり、前記映像表示部が液晶ディスプレイであるものである。
【００２３】
一方、上記目的を達成するために、請求項７に記載の表示方法は、一方の面側から入射した光を前記一方の面側に反射するとともに他方の面側から入射した光を前記一方の面側に透過する半透過鏡と、前記半透過鏡の前記他方の面側に配置されるとともに前記一方の面側に透過する映像を表示しかつ表示の観察方向の前後する位置に配置された複数の映像表示部と、を備えた表示装置を用いた表示方法であって、前記半透過鏡により前記一方の面側に配置された対象物の縮小または拡大された虚像を前記他方の面側に形成し、前記一方の面側から観察した場合に、前記映像と前記虚像とが重畳された画像として観察されるように表示し、前記観察方向に対して前記虚像の形成された位置よりも前記半透過鏡に近づく位置に配置された映像表示部の表示する映像が、前記虚像が形成された位置に配置されている映像表示部が示す映像に対して近景を表示する映像であるか、前記観察方向に対して前記虚像の形成された位置よりも前記半透過鏡から遠ざかる位置に配置された映像表示部の表示する映像が、前記虚像が形成された位置に配置されている映像表示部が示す映像に対して遠景を表示する映像であるか、の少なくとも一方であるものである。
【発明の効果】
【００２４】
本発明に係る表示装置および表示方法によれば、鏡像と映像を用いた重畳画像に奥行感をもたせ、自然な遠近感により、より現実感のある重畳画像を合成することができる、という効果を奏する。
【図面の簡単な説明】
【００２５】
【図１】実施の形態に係る表示装置の構成の一例を示す概略構成図、および実施の形態に係る表示装置の原理を説明するための概念図である。
【図２】第１の実施の形態に係る表示装置の構成の一例を示す概略構成図である。
【図３】第２の実施の形態に係る表示装置の構成の一例を示す概略構成図である。
【図４】第３の実施の形態に係る表示装置の構成の一例を示す概略構成図である。
【図５】従来技術に係る表示装置の構成図である。
【発明を実施するための形態】
【００２６】
以下、図面を参照して本発明の実施の形態の一例を詳細に説明するが、まず、図１を参照して、本発明に係る表示装置の共通する構成、および本発明に係る表示方法の原理について説明する。
【００２７】
図１（ａ）に示すように、本実施の形態に係る表示装置１０は、凸面鏡１２、ディスプレイＤ（図１（ａ）では、「Ｄ１」、「Ｄ２」、「Ｄ３」と表記）、および制御部１４を含んで構成されている。
【００２８】
凸面鏡１２は、凸面鏡１２の前面Ｆ側（凸面側）に配置された対象物ＯＢの縮小された虚像を背面Ｒ側（凹面側）に形成する半透過鏡（ハーフミラー）である。凸面鏡１２としては、図１（ａ）に示す凸面に形成された反射面を有するいわゆる凸面鏡に限られず、フレネルハーフミラー等を用いてもよい。
【００２９】
ディスプレイＤは、表示面１６を凸面鏡１２の側にして凸面鏡１２の背面Ｒ側に配置され、上記虚像に重畳させる映像を表示する。ディスプレイＤの数は、表示装置１０に表示する映像の態様等に応じて任意の数としてよいが、本実施の形態では、位置を前後にずらして（図１（ａ）の中心線ＣＬ上の異なる位置として）多段に配置したディスプレイＤ１、Ｄ２、Ｄ３の３つとしている。また、本実施の形態では、ディスプレイＤとして多段の液晶ディスプレイを用いているが、多段ディスプレイの形態はこれに限定されない。たとえば、他の例として、ボリュームディスプレイ、多段の透過液晶ディスプレイ、非平面スクリーンへのプロジェクションマッピング、ＬＥＤ（Ｌｉｇｈｔ  Ｅｍｉｔｔｉｎｇ  Ｄｉｏｄｅ：発光ダイオード）アレイ等を用いてもよい。
【００３０】
制御部１４は、ディスプレイＤに表示する映像の切替、映像の輝度等を制御する部位であり、たとえば、ＰＣ（Ｐｅｒｓｏｎａｌ  Ｃｏｍｐｕｔｅｒ）等を用いて構成されている。制御部１４は、ディスプレイＤに表示する映像を蓄積した記憶部等を備えていてもよい。
【００３１】
以上のように構成された表示装置１０は、凸面鏡１２の前面Ｆ側から観察者Ｈが観察した場合に、ディスプレイＤに表示された映像と、凸面鏡１２によって形成された対象物ＯＢの縮小された虚像とが重畳された画像が観察される重畳画像表示装置となっている。
【００３２】
図１（ｂ）および（ｃ）を参照して、表示装置１０による重畳画像について、より詳細に説明する。
【００３３】
図１（ｂ）に示すように、凸面鏡１２の前面Ｆ側に観察者Ｈが位置すると、観察者には自身の縮小された虚像Ｈ’が観察される。この場合、凸面鏡１２と虚像Ｈ’との距離ｄ１’は、観察者Ｈと凸面鏡１２との距離ｄ１より小さい。図１（ｃ）に示すように、虚像Ｈ’に加え、虚像Ｈ’付近にディスプレイＤを配置し映像Ｅを表示すると、観察者Ｈには、自身の虚像Ｈ’に映像Ｅが重畳された画像が観察される。自身の虚像Ｈ’は縮小されているので、たとえば映像Ｅが観察者Ｈをして遠方を意識させるような映像であり、ディスプレイＤが虚像Ｈ’より凸面鏡１２から遠ざかる側にある場合、観察者Ｈは、観察者Ｈに対して重畳画像が遠方に位置し、しかも虚像Ｈ’と映像Ｅとの間に前後の遠近感があるように感ずる。つまり、観察者Ｈが虚像Ｈ’と映像Ｅの重畳画像を観察した場合、観察者Ｈには、凸面鏡１２とディスプレイＤとの実際の距離ｄ２’よりかなり長く感ずる距離ｄ２だけ離れて、自身の背後に映像Ｅ’が存在するかのように看取される。
【００３４】
図２を参照して、凸面鏡１２による虚像について、より詳細に説明する。図２は、凸面鏡１２と１つのディスプレイＤとを備えた表示装置１０ａ（制御部１４の図示は省略している）の前方に、実世界の物体（対象物）ＯＢを配置した場合の例を示している。観察者Ｈは、凸面鏡１２の前面Ｆ側から表示装置１０ａを観察する。観察した観察者Ｈには、対象物ＯＢは、凸面鏡１２の作用により、図２に示すような縮小された虚像ＯＢ’として観察される。
【００３５】
凸面鏡１２の背面Ｒ側にディスプレイＤを配置すると、ディスプレイＤに表示された映像は凸面鏡１２のハーフミラーとしての作用により凸面鏡１２を透過して、観察者Ｈに実際の大きさ（実寸）で観察される。このため、対象物ＯＢの虚像ＯＢ’と略等しい奥行にディスプレイＤを配置した場合、観察者Ｈには、虚像ＯＢ’と同じ奥行に表示された映像が映り込んでいるかのように、すなわち重畳されて観察される。
【００３６】
図２においては、対象物ＯＢとしてのろうそく（消えている）が凸面鏡１２の前面Ｆ側に配置され、ろうそくの虚像ＯＢ’が凸面鏡１２の背面Ｒ側に形成されている。そして、炎の映像が映し出されたディスプレイＤが虚像ＯＢ’の上部先端付近に配置されている。
この場合、観察者Ｈが表示装置１０ａを観察すると、観察画像Ｖ１として、炎の灯ったろうそくの画像が観察される。
【００３７】
いま、凸面鏡１２の頂点と中心線ＣＬとの交点を原点Ｏとして、中心線ＣＬ上に座標をとり、対象物ＯＢの位置をａ（＞０）、虚像ＯＢ’の位置をｂ（＜０）、焦点の位置をｆ（＜０、すなわち凸面鏡１２の焦点距離はｆ）とすると、レンズの公式から、以下に示す（式１）が成立する。
0006447096.tif 000002
【００３８】
本実施の形態では、｜ｂ｜＜｜ａ｜が常に成り立ち、かつ、凸面鏡１２から任意の距離ａにある対象物ＯＢの虚像ＯＢ’が、焦点距離ｆ以内に収まる。つまり、（式１）より、原点Ｏから任意の距離ａにある対象物ＯＢの虚像は、原点Ｏから凸面鏡１２の焦点距離ｆ以内に形成されることがわかる。すなわち、凸面鏡１２から対象物ＯＢまでの任意の距離ａは、原点Ｏから距離ｆ以内に圧縮される。このことにより、凸面鏡１２から任意の距離ａにある対象物ＯＢと、凸面鏡１２の背面Ｒ側に配置されたディスプレイＤによる映像Ｅとの、観察者Ｈに知覚される距離感覚を調整することができる。
【００３９】
［第１の実施の形態］
図３を参照して、本実施の形態に係る表示装置１０ｂについて説明する。本実施の形態は、複数のディスプレイＤ（本実施の形態では、Ｄ１、Ｄ２、Ｄ３の３つ）が、表示装置１０ｂを前面から観察した場合に、表示面１６が重複しないようにして中心線ＣＬの方向、すなわち観察者Ｈによる観察方向に対して前後して配置された形態である。なお、図３では、制御部１４の図示を省略している。
【００４０】
凸面鏡１２の前面Ｆ側には対象物ＯＢとしての、消えたろうそくが配置されており、凸面鏡１２の背面Ｒ側に対象物ＯＢの虚像ＯＢ’が形成されている。ディスプレイＤ１、Ｄ２、Ｄ３の各々には同じ炎の映像が表示されており、ディスプレイＤ２が虚像ＯＢ’と略同じ位置に配置され、ディスプレイＤ１が虚像ＯＢ’より凸面鏡１２に近づく側に、ディスプレイＤ３が虚像ＯＢ’より凸面鏡１２から遠ざかる側に配置されている。
【００４１】
以上のように構成された表示装置１０ｂを観察した観察者Ｈには、対象物ＯＢの虚像ＯＢ’の位置にディスプレイＤ２の映像が、虚像ＯＢ’の前後に、各々ディスプレイＤ１による映像、ディスプレイＤ３による映像が映り込んでいる観察画像Ｖ２が観察される。つまり、炎の点いたろうそくの前後に、浮遊する炎が映り込んでいるような観察画像Ｖ２が観察され、炎Ａは虚像ＯＢ’の手前側に、炎Ｃは虚像ＯＢ’の奥側に存在するように観察される。この際、右目による観察画像と左目による観察画像との違いにより形成される視差により遠近感が生じ、観察者Ｈには、炎の点いたろうそくの前後に、別の２つの炎が浮遊して存在するように看取される。
【００４２】
上述した対象物による虚像とディスプレイによる映像との相対的な位置関係は、表示装置を観察する観察者の視点（観察位置）に依存しないで成り立つ関係である。このため、観察者が移動しながら本実施の形態に係る表示装置を観察する場合に、当該観察者により観察される（感じられる）映像の効果、あるいは、複数の観察者が１つの本実施の形態に係る表示装置を観察する場合に、各々の観察者により観察される（感じられる）映像の効果において差がない。つまり、本実施の形態に係る表示装置は、観察者の視点によって破綻を生ずることがない。
【００４３】
以上詳述したように、本実施の形態に係る表示装置および表示方法によれば、鏡に映る実世界の像（虚像）と、所望の相対的な奥行に知覚される映像とを一緒に表示させることができる。このことによって、観察者に対し、あたかも映像の実態が存在し、実世界とともに映り込んでいるかのように見せることができる。そして、表示装置の映像を種々変化させることにより、重畳画像の表現上の効果を変えることができる。すなわち、上記実施の形態を例にとれば、たとえば、ろうそくの炎を点けたり消したりする他、炎を、観察者Ｈに近づく位置から遠ざかる位置との間で、遠近感をもって移動させるようなことも可能となる。
【００４４】
したがって、本実施の形態に係る表示装置および表示方法によれば、鏡像と映像を用いた重畳画像に奥行感をもたせ、自然な遠近感により、より現実感のある重畳画像を合成することができる。
【００４５】
［第２の実施の形態］
図４を参照して、本実施の形態に係る表示装置１０ｃについて説明する。本実施の形態は、凸面鏡の背面側の、虚像が形成される位置と略同じ位置の領域を複数（本実施の形態では、上領域、中央領域、下領域の３つ）の領域に分け、各々の領域に対応させて複数のディスプレイＤ（本実施の形態では、上領域、中央領域、下領域に各々対応させたＤ１、Ｄ２、Ｄ３の３つのディスプレイ）を配置させた形態である。
【００４６】
図４に示すように、本実施の形態では、中央領域のディスプレイＤ２は観察者Ｈの虚像Ｈ’の頭部と略同じ位置に配置し、下領域のディスプレイＤ１はディスプレイＤ２より前方に配置し、上領域のディスプレイＤ３はディスプレイＤ２より後方に配置する。
【００４７】
そして、ディスプレイＤ２には、たとえば観察者Ｈの装飾品（一例として、サングラス、帽子など）の映像を映し出し、ディスプレイＤ１には、たとえば前景（近景、一例として、飲み物、キャラクターなど）の映像を映し出し、ディスプレイＤ３には、たとえば背景（遠景、一例として、空、太陽など）を映し出す。表示装置１０ｃの重畳画像を以上のように形成することにより、ある背景に存在する装飾品を身に着けた人物を、近景とともに映し出した画像を形成することができる。
【００４８】
図４に示す例では、ディスプレイＤ２にはサングラス、ディスプレイＤ１にはパフェ、ディスプレイＤ３には太陽が映し出されている。すると、観察者Ｈには、パフェが人物（観察者Ｈ自身）の手前に、太陽が人物の背後に存在するように観察される。つまり、表示装置１０ｃによって生成された重畳画像は、特に遠近感において、視角的に自然な画像となっている。
【００４９】
以上のように、本実施の形態に係る表示装置および表示方法によっても、鏡像と映像を用いた重畳画像に奥行感をもたせ、自然な遠近感により、より現実感のある重畳画像を合成することができる。
【００５０】
なお、上記各実施の形態では、虚像を生成する手段として凸面鏡を用い、縮小された虚像とディスプレイに表示された画像とを重畳させる形態を例示して説明したが、これに限られない。たとえば、凹面鏡を用いて拡大された虚像とディスプレイに表示された画像とを重畳させる形態としてもよい。
【００５１】
また、上記各実施の形態においては、ディスプレイ以外の光が凸面鏡の背後から透過しないように、たとえば遮光性の覆いを凸面鏡の背面側に備えるようにしてもよい。
【００５２】
また、上記各実施の形態においては、たとえば凸面鏡前面の環境の照度、あるいはディスプレイに映し出される映像との関係等に基づき、ディスプレイの輝度を調整する調光部を設けてもよい。この場合、当該調光部による輝度の調整を制御部（たとえば、図１に示す制御部１４）が行うようにしてもよい。
【符号の説明】
【００５３】
１０、１０ａ、１０ｂ、１０ｃ  表示装置
１２      凸面鏡
１４      制御部
１６      表示面
９０      ミラー本体
９２      液晶表示部
９４      バックライト
９６      透光性保護板
９８      カバー
９８ａ    鏡面反射層
１００    表示装置
１０２    ハーフミラー
１０４    表示部
１０６    撮像部
１０８    壁板
１１０    ユーザ
ＣＬ      中心線
Ｄ、Ｄ１、Ｄ２、Ｄ３  ディスプレイ
ＯＢ      対象物
ＯＢ’    虚像
Ｈ        観察者
Ｈ’      虚像
Ｖ１、Ｖ２、Ｖ３  観察画像
Ｆ        前面
Ｒ        背面
【図１】
0006447096.tif 000003
【図２】
0006447096.tif 000004
【図３】
0006447096.tif 000005
【図４】
0006447096.tif 000006
【図５】
0006447096.tif 000007